(57)【要約】【課題】表面が平滑であり且つ吸盤によって吸着されることが可能な硬質材料で形成されてなる背面を有する背負運搬具に取り付けることで、背負っている人の背負運搬具の背面との接触箇所の痛みが軽減され、且つ疲労も軽減される背負運搬具用緩衝材を提供する。【解決手段】表面が平滑であり且つ吸盤によって吸着されることが可能な硬質材料で形成されてなる背面を有する背負運搬具に着脱自在に取り付けられる背負運搬具用緩衝材であり、緩衝材本体と、前記緩衝材本体の裏面に取り付けられた複数の吸盤部材と、を有し、前記背負運搬具を背負った際の背負っている人の腰部付近に前記緩衝材本体が位置するように、前記吸盤部材を前記背負運搬具の前記背面に吸着せしめられてなる、背負運搬具用緩衝材とした。【選択図】図１
2019047889.tif 000002
【特許請求の範囲】
【請求項１】
表面が平滑であり且つ吸盤によって吸着されることが可能な硬質材料で形成されてなる背面を有する背負運搬具に着脱自在に取り付けられる背負運搬具用緩衝材であり、
緩衝材本体と、
前記緩衝材本体の裏面に取り付けられた複数の吸盤部材と、
を有し、
前記背負運搬具を背負った際の背負っている人の腰部付近に前記緩衝材本体が位置するように、前記吸盤部材を前記背負運搬具の前記背面に吸着せしめられてなる、
背負運搬具用緩衝材。
【請求項２】
前記緩衝材本体が、カマボコ状のクッション材が複数個並置せしめられた形状であり、前記カマボコ状のクッション材の平面部分に前記吸盤部材が取り付けられてなる、請求項１記載の背負運搬具用緩衝材。
【請求項３】
前記硬質材料が、カーボン、カーボンファイバー、およびグラスファイバーからなる群より選ばれる材料を用いた硬質材料である、請求項１又は２記載の背負運搬具用緩衝材。
【請求項４】
前記背負運搬具が楽器ケースである、請求項１〜３いずれか１項記載の背負運搬具用緩衝材。
【発明の詳細な説明】
【技術分野】
【０００１】
本発明は、表面が平滑であり且つ吸盤によって吸着されることが可能な硬質材料で形成されてなる背面を有する背負運搬具に取り付ける背負運搬具用緩衝材に関する。
【背景技術】
【０００２】
近年、グラファイトなどを用いたカーボン、炭素繊維樹脂を用いたカーボンファイバー、ガラス繊維を用いたグラスファイバーといった、軽くて丈夫な硬質の材料を使用した背負運搬具が市場で増加してきている。
【０００３】
上記のような背負運搬具としては、チェロなどの弦楽器やトロンボーン、バスサキソフォンやホルンといった管楽器を入れて運搬するための楽器ケース、釣り具を運搬するための釣り用のバッグ、大型のバックパック、などがある。
【０００４】
しかしながら、上述したような硬質材料で形成されてなる背面を有する背負運搬具を背負うと、背負った人の腰部が当たるため、徒歩で移動したりする際に、途中で痛くなってしまうという問題があった。
【０００５】
例えば、特許文献１には、クッション性の発泡樹脂材を使用したリュックサック背中当てが開示されているが、かかる背中当ては、汗対策を目的としたものである。また、かかる背中当ては、布製のリュックサックに付けるものであるため、硬質材料の背面を有する背負運搬具に適用できる背負運搬具用緩衝材ではない。
【先行技術文献】
【特許文献】
【０００６】
【特許文献１】特開２００１−８７３０号公報
【発明の概要】
【発明が解決しようとする課題】
【０００７】
本発明は、上記した従来技術の問題点に鑑みなされたもので、表面が平滑であり且つ吸盤によって吸着されることが可能な硬質材料で形成されてなる背面を有する背負運搬具に取り付けることで、背負っている人の背負運搬具の背面との接触箇所の痛みが軽減され、且つ疲労も軽減される背負運搬具用緩衝材を提供することを目的とする。
【課題を解決するための手段】
【０００８】
上記課題を解決するため、本発明に係る背負運搬具用緩衝材は、表面が平滑であり且つ吸盤によって吸着されることが可能な硬質材料で形成されてなる背面を有する背負運搬具に着脱自在に取り付ける背負運搬具用緩衝材であり、緩衝材本体と、前記緩衝材本体の裏面に取り付けられた複数の吸盤部材と、を有し、前記背負運搬具を背負った際の背負っている人の腰部付近に前記緩衝材本体が位置するように、前記吸盤部材を前記背負運搬具の前記背面に吸着せしめられてなる、背負運搬具用緩衝材である。
【０００９】
前記緩衝材本体が、カマボコ状のクッション材が複数個並置せしめられた形状であり、前記カマボコ状のクッション材の平面部分に前記吸盤部材が取り付けられてなるのが好適である。例えば、カマボコ状のクッション材が２個並置せしめられた形状とすることができる。
【００１０】
前記硬質材料が、カーボン、カーボンファイバー、およびグラスファイバーからなる群より選ばれる材料を用いた硬質材料であるのが好適である。
【００１１】
前記背負運搬具が楽器ケースであるのが好ましい。
【発明の効果】
【００１２】
本発明によれば、表面が平滑であり且つ吸盤によって吸着されることが可能な硬質材料で形成されてなる背面を有する背負運搬具に取り付けることで、背負っている人の背負運搬具の背面との接触箇所の痛みが軽減され、且つ疲労も軽減される背負運搬具用緩衝材を提供することができるという著大な効果を奏する。
【図面の簡単な説明】
【００１３】
【図１】本発明の背負運搬具用緩衝材の一つの実施の形態を示し、チェロケースに吸着せしめた状態を示す正面図である。
【図２】本発明の背負運搬具用緩衝材の一つの実施の形態を示す正面斜視図である。
【図３】本発明の背負運搬具用緩衝材の一つの実施の形態を示す背面斜視図である。
【図４】図１の状態からチェロケースを背負った状態を示す側面図である。
【発明を実施するための形態】
【００１４】
以下に本発明の実施の形態を説明するが、これら実施の形態は例示的に示されるもので、本発明の技術思想から逸脱しない限り種々の変形が可能なことはいうまでもない。
【００１５】
図１〜図４において、符号１０は、本発明の背負運搬具用緩衝材を示す。背負運搬具用緩衝材１０は、背負運搬具１２に吸着せしめられて取り付けられている。背負運搬具１２は、表面１４が平滑であり且つ吸盤１６ａ，１６ｂによって吸着されることが可能な硬質材料で形成されてなる背面１８を有している。背負運搬具１２は図示例では、カーボン製の丈夫で軽いチェロケースの例を示した。符号２８は、背負うための肩紐である。
【００１６】
本発明の背負運搬具用緩衝材１０が適用される背負運搬具１２の例としては、チェロなどの弦楽器やトロンボーン、バスサキソフォンやホルンといった管楽器を入れて運搬するための楽器ケースのほか、釣り具を運搬するための釣り用のバッグ、大型のバックパック、などがある。
【００１７】
また、背負運搬具１２は、図１に示されるように、表面１４が平滑であり且つ吸盤１６ａ，１６ｂによって吸着されることが可能な硬質材料で形成されてなる背面１８を有していれば、上述した背負運搬具１２の例以外にも適用可能である。本発明の背負運搬具用緩衝材１０は、楽器ケース、特にチェロなどの大型の弦楽器やトロンボーン、バスサキソフォンやホルンといった大型の管楽器を入れて運搬するための大型の楽器ケースに特に好適に用いることができる。
【００１８】
これらの大型の楽器の楽器ケースは、近年では軽くて丈夫なカーボンなどの硬質材料で形成されているが、かかる楽器ケースを背負うと、背負った人の腰部が前記背面に当たるため、徒歩で移動したりする際に、途中で痛くなってしまうという問題があったが、本発明の背負運搬具用緩衝材１０を適用することで、それらの問題が解決される。
【００１９】
また、背負運搬具１２は、表面１４が平滑であり且つ吸盤１６ａ，１６ｂによって吸着されることが可能な硬質材料で形成されてなる背面１８を有しているが、前記硬質材料としては、グラファイトなどを用いたカーボン製の硬質材料の例を示した。硬質材料の例としては、グラファイトなどを用いたカーボン、炭素繊維樹脂を用いたカーボンファイバー、ガラス繊維を用いたグラスファイバーなどがある。前記硬質材料が、カーボン、カーボンファイバー、およびグラスファイバーからなる群より選ばれる材料を用いた硬質材料であるのが本発明では好ましい。
【００２０】
運搬具用緩衝材１０は、図２〜図３によく示されるように、緩衝材本体２０と、前記緩衝材本体２０の裏面２２に取り付けられた複数の吸盤部材１６ａ，１６ｂと、を有している。図示例では、吸盤部材１６を２つ設けた例を示した。複数設ければよいものであるから、２つよりも多く設けてもよい。
【００２１】
また、前記緩衝材本体２０の裏面２２は補強板を入れることで平面２４とされている。前記緩衝材本体２０は、カマボコ状のクッション材２６ａ，２６ｂが複数個並置せしめられた形状であり、前記カマボコ状のクッション材２６ａ，２６ｂの平面２４の部分に前記吸盤部材１６が取り付けられている。クッション材２６ａ，２６ｂとしては、公知のクッション材であればいずれも適用でき、例えば発泡ウレタンなどのクッション材が使用できる。
【００２２】
このように構成された運搬具用緩衝材１０を背負運搬具１２（図示例ではチェロケース）に吸着せしめて取り付け、背負った状態を図４に示す。
【００２３】
図４に示されるように、背負っている人３０は、背負運搬具１２の背面１８と背負っている人３０の腰部３２との間に運搬具用緩衝材１０が介在するため、かかる接触箇所の痛みが軽減され、且つ疲労も軽減されることとなる。
【符号の説明】
【００２４】
１０：本発明の背負運搬具用緩衝材、１２：背負運搬具、１４：表面、１６ａ，１６ｂ：吸盤、１８：背面、２０：緩衝材本体、２２：裏面、２４：平面、２６ａ，２６ｂ：カマボコ状のクッション材、２８：肩紐、３０：背負っている人、３２：腰部。
【図１】
2019047889.tif 000003
【図２】
2019047889.tif 000004
【図３】
2019047889.tif 000005
【図４】
2019047889.tif 000006